(57)【要約】      （修正有）【課題】操作性、安定性を損なうことなく、魚の食い付きも改善したルアーを提供する。【解決手段】金属製の板状部材と、その板状部材を挟んで固定するルアーボディ30と、釣り針40とを備えて概ね流線形をなす釣り用ルアーに係る。板状部材はルアーボディ30の先端部から突出する突出部22と、道糸11を固定するためのラインアイ24と、釣り針40を固定するためのフックアイ25とを備える。フックアイ25はラインアイ24を挟んでリップ22の反対側に位置し、前記のルアーボディ30はルアー全体における突出部22側であって水底側に重心が位置するようにバランスさせるためのバランサと、そのバランサを覆うバランサよりも低比重のカバーとを備える。水平な水底に沈ませたルアーにおいて、その突出部22の中央とフックアイ25とを結んだラインC.L.が突出部22側へ前方傾斜する。【選択図】図４
2014045687.tif 000002
【特許請求の範囲】
【請求項１】
金属製の板状部材と、  その板状部材を挟んで固定するルアーボディと、  釣り針と、を備えて概ね流線形をなす釣り用ルアーであって、
前記の板状部材は、ルアーボディの先端部から突出する突出部と、  道糸を固定するための貫通孔たるラインアイと、  前記の釣り針を固定するための貫通孔たるフックアイと、  を備え、
そのフックアイは、前記のラインアイを挟んで突出部の反対側に位置し、
前記のルアーボディは、ルアー全体における突出部側であって水底側に重心が位置するようにバランスさせるためのバランサと、
そのバランサを覆うバランサよりも低比重のカバーと、  を備え、
水平な水底に沈ませた場合のルアーにおいて、その突出部の中央と前記のフックアイとを結んだラインが突出部側へ前方傾斜するように形成したルアー。
【請求項２】
前記の突出部は、ルアーボディの先端部から突出した形状が三日月状をなすように板状部材およびルアーボディを形成し、
ラインアイに固定された道糸を引っ張った場合に、突出部の中央付近が水底に接触するように形成した請求項１に記載のルアー。
【請求項３】
ルアーボディの水平方向の幅寸法は、ルアーの長手方向におけるラインアイ取り付け位置付近を最大幅とし、
フックアイ取り付け位置付近は、最大幅の１／３〜１／２に形成した請求項１または請求項２のいずれかに記載のルアー。
【発明の詳細な説明】
【技術分野】
【０００１】
本発明は、海底や川底を這わせて魚を釣る時に使用するルアーに関する。
【背景技術】
【０００２】
釣りに使用されるルアーには、釣る対象となる対象魚の種類に応じて様々な種類がある。
たとえば、特許文献１に開示されたようなルアーが提供されている。このルアーは、骨格を形成するフレームおよびそのフレームに設けられたパネルにて形成されている。フレームは中空モノコック構造を採用することで軽量化しており、釣り人には扱いやすいものとなっている。
【０００３】
さて、海底や川底に生息する魚を釣る場合、ルアーを海底、川底付近を這わせること、および安定した姿勢を保持することが効果的である。より具体的には、特許文献２に開示されたようなルアーであって、紡錘形をなす本体部と、その本体部の表面を覆う樹脂塗膜と、金属板で形成されたキール部とを備えている。そのキール部が水切りの役割を果たすために、安定した姿勢を取りやすいことが特徴である。
【先行技術文献】
【特許文献】
【０００４】
【特許文献１】特開２００５−３４８６７１号公報
【特許文献２】実用新案登録３１７５５１８号公報
【発明の概要】
【発明が解決しようとする課題】
【０００５】
特許文献２に示すルアーが開発された以後、海底、川底に接する金属部位たるキール部（１）、道糸（５）を固定するラインアイ（２）、および釣り針（４）を固定するフックアイ（３）を一体としたルアーも提供されるようになった（図６参照）。
この特許文献２に示すルアーは、キール部（１）とラインアイ（２）とが一体であるため、釣り人は着底しているか否かが分かりやすい。
【０００６】
しかし、図６に示す構造では、底を這わすようにルアーを操作すると、魚の食い付き（吸い込み）が悪いという欠点があった。  食い付きやすい構造としては、釣り針が固定されるフックアイの場所を変更するという方法が考えられるが、単純にフックアイの場所を変更しただけでは、操作時の安定性が損なわれたり、根掛かりしやすくなってしまったりするおそれが大きい。
【０００７】
本発明が解決しようとする課題は、操作性、安定性を損なうことなく、魚の食い付きも改善したルアーを提供することにある。
【課題を解決するための手段】
【０００８】
（第一の発明）
本願における第一の発明は、  金属製の板状部材(プレート21)と、  その板状部材(21)を挟んで固定するルアーボディ(30)と、  釣り針(40)と、を備えて概ね流線形をなす釣り用ルアー(20)に係る。
前記の板状部材(21)は、ルアーボディ(30)の先端部から突出する突出部(22)と、  道糸(11)を固定するための貫通孔たるラインアイ(24)と、  釣り針(40)を固定するための貫通孔たるフックアイ(25)と、  を備える。
フックアイ(25)は、ラインアイ(24)を挟んでリップ(22)の反対側に位置し、  前記のルアーボディ(30)は、ルアー全体における突出部(22)側であって水底側に重心が位置するようにバランスさせるためのバランサ(31,33)と、  そのバランサ(31,33)を覆うバランサ(31,33)よりも低比重のカバー(35,36)と、  を備える。
水平な水底に沈ませたルアーにおいて、その突出部(22)の中央とフックアイ(25)とを結んだライン(C.L.)が突出部(22)側へ前方傾斜するように形成する。
【０００９】
（用語説明）
「板状部材(21)」の材質は、一般的には、鋼製など金属製である。岩などの水底に接触しても摩耗しにくい耐久性、海水でも錆びない耐蝕性を備えていることが望ましく、たとえば、ステンレス鋼が望ましい。
「バランサ(31,33)」は、カバー(35,36)よりも高比重の素材（例えば鉛などの金属）によって、ルアー全体の前方低重心を達成する。
「カバー(35,36)」は、低比重である必要があるものの、色々なものに衝突することが想定されるので、硬質な発泡樹脂などが望ましい。
【００１０】
（作用）
水平な水底に沈ませたルアー(20)は、突出部(22)の中央とフックアイ(25)とを結んだライン(C.L.)が突出部(22)側へ前方傾斜し、突出部(22)が水底に接触する。高比重のバランサ(31,33)は、ルアー(20)全体を突出部(22)側であって水底側に重心が位置するようにバランスさせている。
ラインアイ(24)に固定された道糸(11)を引くと、突出部(22)が水底に接触しながらルアー(20)が水底を移動する。突出部(22)およびラインアイ(24)は、一枚の板状部材(21)に一体で形成されているので、水底の接触が道糸(11)にまで伝わる。したがって、釣り人は、その道糸(11)の感触にて、水底の様子を探ることができる。
【００１１】
（第一の発明のバリエーション１）
第一の発明は、前記の突出部(22)においてルアーボディ(30)の先端部から突出した形状が三日月状をなすように板状部材(21)およびルアーボディ(30)を形成する。そして、ラインアイ(24)に固定された道糸(11)を引っ張った場合に、前記のセンターライン(C.L.)付近が水底に接触するように形成すると、より好ましい。
【００１２】
（作用）
ルアー(20)の全体が流線型をなしているのみならず、突出部(22)の先端部が三日月状をなしているので、水底での接触において障害物に引っかかりにくい。
道糸(11)を引っ張った場合に突出部(22)のセンターライン(C.L.)付近が水底に接触するので、多少のズレがあっても水底に突出部(22)が接触し続ける。したがって、釣り人は突出部(22)と水底との接触の感覚を得続けることができる。
突出部(22)は、カバー(35,36)よりも硬質な材質を採用していることが多く、カバー(35,36)に傷が付きにくい。
【００１３】
（第一の発明のバリエーション２）
第一の発明は、ルアーボディ(30)の水平方向の幅寸法を、ルアー(20)の長手方向におけるラインアイ取り付け位置付近を最大幅とし、  フックアイ取り付け位置付近を、最大幅の１／３〜１／２に形成すると、より好ましい。
【００１４】
（作用）
ルアー(20)全体が流線型をなしている上にフックアイ(25)付近の幅寸法が小さい。このため、ルアー(20)のフックアイ(25)側から魚が食い付いた場合、釣り針(40)を吸い込んだ魚は、幅寸法が小さい部位を全て飲み込みやすい。そのため、魚の針掛かりが良くなる。
【発明の効果】
【００１５】
本願の第一の発明によれば、操作性、安定性を損なうことなく、魚の食い付きも改善したルアーを提供することができた。
【図面の簡単な説明】
【００１６】
【図１】本発明の実施形態における使用状態を示す斜視図である。
【図２】本発明の実施形態を示す側面図および平面図である。
【図３】本発明の実施形態を示す組み立て斜視図である。
【図４】本発明の実施形態における使用状態を示す側面図である。
【図５】本発明の実施形態における使用状態を示す側面図である。
【図６】従来技術を示す斜視図である。
【発明を実施するための形態】
【００１７】
以下、本発明の実施形態について図面を参照して説明する。  ここで用いる図は、図1から図５である。
【００１８】
（図１）
図１に示すように、本実施形態に係るルアー２０は、釣り竿１０に固定された道糸１１の先端に固定され、水底を這わせて使用するルアーである。
このルアー２０は、後部に合成ゴム製のスカートネクタイ４５を固定しており、そのスカートネクタイ４５が釣り上げる対象となる魚をおびき寄せる。
【００１９】
（図３）
図３に示すように、ルアー２０は、魚が尾を下げたような形状をなすステンレス製板状のプレート２１と、  そのプレート２１を挟んで固定するルアーボディ３０と、  そのルアーボディ３０の後部に固定する釣り針４０と、を備え、概ね流線形をなす。
前記のプレート２１は、水底に接触する三日月状の突出部たるリップ２２と、  道糸１１を固定するための貫通孔たるラインアイ２４と、  釣り針４０を固定するための貫通孔たるフックアイ２５と、  前記のルアーボディ３０を固定するためのバランサ用孔２３と、を備える。
前記のフックアイ２５は、ラインアイ２４を挟んでリップ２２の反対側に位置する。
【００２０】
前記のルアーボディ３０は、ルアー全体におけるリップ２２側であって水底側に重心が位置するようにバランスさせるためのバランサ（左バランサ３１，右バランサ３３）と、  そのバランサ３１，３３を覆うカバー（左カバー３５，右カバー３６）と、  を備える。
バランサ３１，３３は、鉛などの比重が大きい金属製の鋳造品であり、左バランサ３１には結合用突起３２を、右バランサ３３には結合用凹部３４をそれぞれ備えている。結合用突起３２はバランサ用孔２３の内径寸法を外径寸法とする円柱形をなし、結合用凹部３４は結合用突起３２に挿入される内径寸法を有する。したがって、左バランサ３１および右バランサ３３が、プレート２１を挟んで固定されることとなる。
【００２１】
図３においては想像線にて示しているが、カバー３５，３６は、バランサ３１，３３よりも低比重の硬質発泡樹脂にて成型された成型品である。バランサ３１，３３が位置する部位は、中空となっている。プレート２１を挟んで左カバー３５および右カバー３６を固定することで、ルアー２０が組み上がる。
【００２２】
本実施形態のルアー２０は、前方寄りに重心が位置し、且つその重心は低い位置となっている。そのため、図４（ｂ）に示すように、プレート２１、バランサ３１，３３、カバー３５，３６、および釣り針４０が形成するルアー２０を水平な水底に沈ませた場合、そのリップ２２の中央とフックアイ２５とを結んだセンターラインＣ．Ｌ．がリップ２２側へ前方傾斜するように形成している。
また、図４（ａ）に示すように、リップ２２が水底に接している状態で道糸１１を引っ張った場合には、センターラインＣ．Ｌ．が水底となす角度は大きくなる。
【００２３】
図２（ｂ）に示すように、カバー３５，３６は、ラインアイ２４付近の水平方向の幅寸法Ｔｂ（約５ミリメートル）をフックアイ２５の水平方向の幅寸法Ｔａの約３倍（約１５ミリメートル）として形成した。すなわち、ルアー２０全体が流線型をなしている上にフックアイ２５付近の幅寸法が小さい。  このため、ルアー２０のフックアイ２５側から魚が食い付いた場合、釣り針４０を吸い込んだ魚は、幅寸法が小さい部位を全て飲み込みやすい。そのため、魚の針掛かりが良くなる。
また、道糸１１を操作しても、フックアイ２５に固定される釣り針４０は、進行方向に障害物（たとえば、水底に生えている藻類）があったとしてもカバー３５，３６に隠れるので、根掛かりが生じにくくなる効果も期待できる。
【００２４】
ラインアイ２４に固定された道糸１１を引くと、リップ２２が水底に接触しながらルアー２０が水底を移動する。リップ２２およびラインアイ２４は、一枚のプレート２１に一体で形成されているので、水底の接触が道糸１１にまで伝わる。したがって、釣り人は、その道糸１１の感触にて、水底の様子を探ることができる。
【００２５】
（図５）
図５に示すように、水底において凹凸（この図では凸部）があった場合でも、ラインアイ２４に固定された道糸１１を引くと、リップ２２が水底に接触しながらルアー２０が水底を移動する。
この凸部が岩のように堅いものであったとしても、プレート２１はステンレス製であり、傷つくことはあっても簡単に破損したりすることはない。
【産業上の利用可能性】
【００２６】
本発明は、釣具、釣用備品の製造業、釣具、釣用備品のレンタル業などのレジャー産業において利用可能性を有する。
【符号の説明】
【００２７】
１  ；キール部                ２  ；ラインアイ
３  ；フックアイ              ４  ；釣り針
５  ；道糸
１０  ；釣り竿                  １１  ；道糸
２０  ；ルアー                  ２１  ；板状部材（プレート）
２２  ；突出部（リップ）        ２３  ；バランサ用孔
２４  ；ラインアイ              ２５  ；フックアイ
３０  ；ルアーボディ
３０Ａ；左バランサ              ３２  ；結合突起
３３  ；右バランサ              ３４  ；結合凹部
３５  ：左カバー                ３６  ；右カバー
４０  ；釣り針                  ４５  ；スカートネクタイ
Ｃ．Ｌ．；センターライン
【図１】
2014045687.tif 000003
【図２】
2014045687.tif 000004
【図３】
2014045687.tif 000005
【図４】
2014045687.tif 000006
【図５】
2014045687.tif 000007
【図６】
2014045687.tif 000008